【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
第１ケース部と第２ケース部をケースロック装置によって結合し１個の筐体に組立てる電子機器の筐体において、第１ケース部は、係合ツメを形成してあり、第２ケース部は、回転軸部を形成してあり、ケースロック装置は、駆動ツマミと２個のロックレバーからなり、駆動ツマミは、ボスを形成してあって、第２ケース部に摺動自在に取付けてあり、ロックレバーは、軸挿入穴、一方の端部にボス係合開口、他方の端部に係合ツメを形成してあって、軸挿入穴を第２ケース部の回転軸部に回動自在に取付けてあり、駆動ツマミのボスは、ロックレバーのボス係合開口に係合しており、ロックレバーの係合ツメは、第１ケース部と第２ケース部が結合したとき第１ケース部の係合ツメと係合することを特徴とする電子機器の筐体。
【請求項２】
請求項１に記載の電子機器の筐体において、第２ケース部は傾斜面を有し、前記駆動ツマミはその傾斜面に取付けてあり、ロックレバーのボス係合開口を有する面は駆動ツマミの摺動面と平行であることを特徴とする電子機器の筐体。
【請求項３】
請求項１又は請求項２の電子機器の筐体において、第２ケース部は、浮き防止部を形成してあり、ロックレバーは、前記他方の端部に浮き防止ツメを形成してあって、ロックレバーの浮き防止ツメは、少なくとも第１ケース部の係合ツメとロックレバーの係合ツメが係合したとき第２ケース部の浮き防止部に係合するように摺動自在に係合していることを特徴とする電子機器の筐体。
【請求項４】
請求項１、請求項２又は請求項３に記載の電子機器の筐体において、第１ケース部の係合ツメはロックレバーの回転軸と直交していることを特徴とする電子機器の筐体。
【手続補正２】
【補正対象書類名】明細書
【補正対象項目名】全文
【補正方法】変更
【補正の内容】
【発明の詳細な説明】
【発明の名称】電子機器の筐体
【技術分野】
【０００１】
本願発明は、模型Ｒ／Ｃ送信機、ラジオ受信機、ラジオ送信機、卓上電子計算機、パソコン、計測器等の電子機器の筐体に関し、特に第１ケース部と第２ケース部をケースロック装置によって一体的に組立て、分解が可能な電子機器の筐体に関する。
【背景技術】
【０００２】
従来第１ケース部と第２ケース部を組合せて１個の筐体に組立てる電子機器の筐体が提案されている（特許文献１，２参照）。
例えば、図８は、ネジにより第１ケース部と第２ケース部を１個の筐体に組立てる例である。
図８（ａ）は、平面図、図８（ｂ）は、図８（ａ）のＸ１部分の矢印方向の断面図、図８（ｃ）は、図８（ａ）のＸ２部分の矢印方向の断面図である。
図８の筐体は、第１ケース部１１と第２ケース部１２の開口面を突き合わせ、工具でネジ１３１〜１３４を雌ネジ部１２１〜１２４（１２４は図示せず）にねじ込み両ケース部を固定して筐体に組立てる。
【０００３】
図９は、工具を用いないで組立てる筐体の例である。
図９（ａ）は、平面図、図９（ｂ）は、図９（ａ）のＸ１部分の矢印方向の断面図、図９（ｃ）は、図９（ａ）のＸ２部分の矢印方向の断面図、図９（ｄ）は、係合部の拡大図である。
図９の筐体は、第２ケース部２２の係合突起２２２ａ，２２２ｂを、第１ケース部２１の凹部に挿入し、第１ケース部２１の弾性のある係合ツメ２１１ａ，２１１ｂを第２ケース部２２の係合溝部２２１ａ、２２１ｂに圧入して両ケース部を固定して筐体に組立てる。
【０００４】
【特許文献１】特開平８−５１３７５号公報
【特許文献２】実公平７−４４０４６号公報
【発明の開示】
【発明が解決しようとする課題】
【０００５】
図８の筐体は、第１ケース部と第２ケース部をネジによって固定するため、組立ての際工具が必要になり、ま
たネジを雌ネジ部にねじ込まなければならないから、組立て作業が面倒である。また修理等で筐体を分解した際ネジを紛失することがある。
一方図９の筐体は、工具を用いずに組立て、分解をすることができるが、係合ツメと係合溝部の係合強度が弱いため、手の平サイズの小型の筐体には採用できるが、大きな筐体には採用し難い。
本願発明は、図８、図９の筐体の前記問題点に鑑み、工具を用いずに組立て分解が可能で、かつ充分な強度が得られる構造のケースロック装置を備えた電子機器の筐体を提供することを目的とする。
【課題を解決するための手段】
【０００６】
本願発明は、その目的を達成するため、請求項１に記載の電子機器の筐体は、第１ケース部と第２ケース部をケースロック装置によって結合し１個の筐体に組立てる電子機器の筐体において、第１ケース部は、係合ツメを形成してあり、第２ケース部は、回転軸部を形成してあり、ケースロック装置は、駆動ツマミと２個のロックレバーからなり、駆動ツマミは、ボスを形成してあって、第２ケース部に摺動自在に取付けてあり、ロックレバーは、軸挿入穴、一方の端部にボス係合開口、他方の端部に係合ツメを形成してあって、軸挿入穴を第２ケース部の回転軸部に回動自在に取付けてあり、駆動ツマミのボスは、ロックレバーのボス係合開口に係合しており、ロックレバーの係合ツメは、第１ケース部と第２ケース部が結合したとき第１ケース部の係合ツメと係合することを特徴とする。
請求項２に記載の電子機器の筐体は、請求項１に記載の電子機器の筐体において、第２ケース部は傾斜面を有し、前記駆動ツマミはその傾斜面に取付けてあり、ロックレバーのボス係合開口を有する面は駆動ツマミの摺動面と平行であることを特徴とする。
請求項３に記載の電子機器の筐体は、求項１又は請求項２の電子機器の筐体において、第２ケース部は、浮き防止部を形成してあり、ロックレバーは、前記他方の端部に浮き防止ツメを形成してあって、ロックレバーの浮き防止ツメは、少なくとも第１ケース部の係合ツメとロックレバーの係合ツメが係合したとき第２ケース部の浮き防止部に係合するように摺動自在に係合していることを特徴とする。
請求項４に記載の電子機器の筐体は、請求項１、請求項２又は請求項３に記載の電子機器の筐体において、第１ケース部の係合ツメはロックレバーの回転軸と直交していることを特徴とする。
【発明の効果】
【０００７】
本願発明は、駆動ツマミを摺動するだけで第１ケース部と第２ケース部を結合して１個の筐体に組立てることができるから、筐体の組立て分解が容易になる。
本願発明は、１個の駆動ツマミによって２個のロックレバーを同時に駆動できるから、ロックレバーの駆動部品が少なくなり、かつ筐体の組立てが簡単になる。また第２ケース部に駆動ツマミとロックレバーを取付けてあり、駆動ツマミはロックレバーに係合しているから、筐体を分解したとき駆動ツマミが第２ケース部から脱落することがない。したがって筐体を分解したとき駆動ツマミを紛失することがない。
本願発明は、駆動ツマミを摺動したとき、ロックレバーの係合ツメと第１ケース部の係合ツメは、同じ面を回動するから、両係合ツメは面接触する。したがって、両係合ツメは、係合強度が大きくなり、第１ケース部と第２ケース部の結合強度が大きくなる。また第２ケース部にロックレバーの係合ツメの浮き防止部を形成してあるから、ロックレバーの係合ツメの浮き上がりを阻止することができ、ロックレバーの係合ツメと第１ケース部の係合ツメの係合の緩みを防止できる。
【０００８】
本願発明は、駆動ツマミを第２ケース部の傾斜面に取付けることもでき、その場合には、ロックレバーのボス係合開口を有する面を傾斜させることにより、ロックレバーの回転軸と第１ケース部の係合ツメを直交させることができる。したがってロックレバーのボス係合開口を有する面を傾斜させることにより、駆動ツマミの摺動面とロックレバーの回動面が平行でない場合にも、駆動ツマミを円滑に摺動でき、その摺動をロックレバーの回動に円滑に変換する。即ち駆動ツマミを第２ケース部の傾斜面に取付けてもロックレバーのボス係合開口を有する面を傾斜させることにより、ロックレバーは円滑に回動する。そしてロックレバーのボス係合開口を有する面を傾斜させても、ロックレバーの回転軸と第１ケース部の係合ツメの直交性は、維持できる。
本願発明の第１ケース部の係合ツメは、ロックレバーの回転軸と直交しており、かつロックレバーの係合ツメと面接触するから、両係合ツメの摩擦力が大きくなり係合強度が大きくなる。
【発明を実施するための最良の形態】
【０００９】
図１〜図７により本願発明の実施例を説明する。なお各図に共通の部分は、同じ符号を使用している。
【実施例１】
【００１０】
図１〜図３は、本願発明の実施例１に係る電子機器の筐体を示す。
まず図１について説明する。
図１（ａ）は、平面図（破線は内部部材の概要を示す）、図１（ｂ）は、図１（ａ）のＹ１方向の側面図、図１（ｃ）は、図１（ａ）のＹ２方向の側面図、図１（ｄ）は、図１（ａ）のＹ３方向の側面図である。
筐体３は、第１ケース部３１（例えば表ケース部）と第２ケース部（例えば裏ケース部）３２からなり、第１ケース部３１は天板（上面）が平らで箱状をし、第２ケース部３２は底板（下板）が平らで箱状をしている。
第１ケース部３１と第２ケース部３２は、開口面を対向させた状態で第１ケース部３１の係合突起３１２を第２ケース部３２の開口（穴）３２２に挿入し、ケースロック装置（詳細は後述する）により結合して１個の筐体に組立てる。ケースロック装置は、一対のロックレバー４ａ，４ｂと両ロックレバーを駆動する駆動ツマミ（スライダ）３３からなる。駆動ツマミ３３は、第２ケース部３２の底板のコ字状開口部（切欠き部）３２４に矢印Ｙ４方向へ摺動自在に取付けてある。
【００１１】
図１（ａ）のロックレバー４ａ，４ｂの位置は、第１ケース部３１と第２ケース部３２を結合して筐体３を組立てた状態にあり、そのとき両ロックレバーの係合ツメ４１は、第１ケース部３１の係合ツメ３１１に係合している。即ち係合ツメ４１と係合ツメ３１１が係合して第１ケース部３１と第２ケース部３２を結合する。
筐体３を分解するときは、駆動ツマミ３３によってロックレバー４ａ，４ｂを駆動して、係合ツメ４１と係合ツメ３１１の係合を解除する。
【００１２】
図２は、第１ケース部３１、第２ケース部３２の内部構成を示す。
図２（ａ）は、第２ケース部３２の内側の平面図、図２（ｂ）は、図２（ａ）のＹ５部分の矢印方向の断面図、図２（ｃ）は、図２（ａ）の一部の平面図、図２（ｄ）は、第１ケース部３１の内側の平面図である。
まず図２（ａ），（ｂ）（ｃ）について説明する。
ケースロック装置は、ロックレバー４ａ，４ｂと駆動ツマミ（スライダ）３３からなり、駆動ツマミ３３は、第２ケース部３２のコ字状開口部３２４のレール用凸状部３２６に沿って摺動する。ロックレバー４ａ，４ｂは、図２（ａ）において、夫々駆動ツマミ３３の摺動方向（図２（ａ）のＹ４１方向）の両側に配置し、夫々の回転軸部３２３は、第２ケース部３２に形成してある。
【００１３】
そしてロックレバー４ａ，４ｂの回転軸部３２３は、駆動ツマミ３３の摺動方向と直交する方向に配置し、ボス係合開口（穴）４３及び係合ツメ４１もその摺動方向と直交する方向に配置してある。またロックレバー４ａ，４ｂは、第２ケース部３２に形成した回転軸部３２３の先端の軸（図示せず）にネジ４４によって回動自在に取付けてあり、回転軸Ｚａ，Ｚｂを中心に回動する。回転軸部３２３の先端の軸は、ロックレバー４ａ，４ｂの軸挿入穴４５に挿入してある。駆動ツマミ３３は、ロックレバー４ａ，４ｂのボス係合開口４３内に突出するボス３３１を有し、駆動ツマミ３３を摺動すると、ボス３３１は、ボス係合開口４３の内面に接触してロックレバー４ａ，４ｂを回動する。ロックレバー４ａ，４ｂが回動して図２（ａ）の状態になると、両ロックレバーの係合ツメ４１は、第１ケース部３１の係合ツメ３１１に係合し、第１ケース部３１と第２ケース部３２は結合されて１個の筐体に組立てられる。
【００１４】
図２（ａ）のように係合ツメ４１と係合ツメ３１１が係合したとき、ロックレバー４ａ，４ｂの浮き防止ツメ４２は、図２（ｂ）のように第２ケース部３２の浮き防止部３２1のコ字状の凹部に係合して両ロックレバーの端部が上方（回転軸Ｚａ，Ｚｂ方向）へ浮き上がるのを防止する。その浮き上り防止により係合ツメ４１と係合ツメ３１１の係合の緩みを防止することができる。なお浮き防止ツメ４２は、係合ツメ４１と係合ツメ３１１が係合したとき以外のときにも、浮き防止部３２1のコ字状の凹部内を自在に摺動するように（摺動自在に係合するように）構成してもよい。またロックレバー４ａ，４ｂの浮き防止ツメ４２は、係合ツメ４１よりも低い位置に配置して両ロックレバーが回動するとき、係合ツメ４１が浮き防止部３２1に衝突しないように構成してある。
【００１５】
図２（ａ）の状態から駆動ツマミ３３を矢印Ｙ４１方向へ摺動すると（引くと）、ツマミロック部３３２のロックは解除され、ロックレバー４ａは反時計方向へ、ロックレバー４ｂは時計方向へ回動して、係合ツメ４１は係合ツメ３１１から離れるから、第１ケース部３１と第２ケース部３２を個々に分解できる。また駆動ツマミ３３を矢印Ｙ４１方向へ摺動するとき、ロックレバー４ａ，４ｂが必要以上に回動しないように回動制限突起３２５を第２ケース部３２に形成してある。
駆動ツマミ３３は、図２（ａ）の位置にあるとき、その位置から戻るのを阻止するため、ツマミロック部３３２を設けてある。なおツマミロック部３３２は弾性を有するから、ロック状態にあるとき、駆動ツマミ３３を強く引き戻す（摺動）とロック状態を解除できる。
【００１６】
図２（ａ），（ｂ）の２個のロックレバー４ａ，４ｂは、駆動ツマミ３３の１回の操作で同時に回動するから、両ロックレバーの駆動部品の個数が少なくなり、かつ操作も簡単になる。また駆動ツマミ３３は、ボス３３１と両ロックレバーを介して第２ケース部３２に係合しているから、筐体３を第１ケース部３１と第２ケース部３２に分解したとき、第２ケース部３２から脱落することがない。したがって筐体３を分解したとき駆動ツマミ３３を紛失することがない。また第２ケース部３２には、回動制限突起３２５を形成してあるから、駆動ツマミ３３を必要以上に外側へ引き出すことがない。
【００１７】
次に図２（ｄ）について説明する。
第１ケース部３１の一方の端面には、内側へ突出する係合ツメ３１１を形成し、他方の端面には外側へ突出する係合突起３１２を形成してある。係合突起３１２は、第１ケース部３１と第２ケース部３２を結合するとき、第２ケース部３２の開口３２２に挿入する。
【００１８】
図３は、図２の各部の詳細を示す。
図３（ａ１）は、ロックレバー４ａの斜視図、図３（ａ２）は、駆動ツマミ３３の摺動面とロックレバー４ａ，４ｂの回動面を説明する図、図３（ａ３）は、ロックレバー４ａ，４ｂの係合ツメ４１と第１ケース部３１の係合ツメ３１１の係合状態を示す図である。
第１ケース部３１と第２ケース部３２は、前述したようにロックレバー４ａ，４ｂの係合ツメ４１と第１ケース部３１の係合ツメ３１１の係合によって一体的に結合するが、係合ツメ３１１は、両ケース部の開閉方向（本実施例の場合回転軸Ｚａと平行な方向）と直交するように配置してあるから、両ケース部は強固に結合する。即ち係合ツメ３１１は、両ケース部の開閉方向と直交するように配置してあるから、両ケース部を開こうとする力が加わったとき、両係合ツメには、両係合ツメと直交する方向の力が加わるため両係合ツメの摩擦力は大きくなり、係合強度が大きくなる。仮に係合ツメ３１１が、図３（ａ２）において駆動ツマミ３３側へ傾斜している場合には、係合ツメ３１１と係合ツメ４１は、滑り易くなり摩擦力は小さくなる。
【００１９】
また第１ケース部３１と第２ケース部３２の結合強度を大きくするには、ロックレバー４ａ，４ｂの係合ツメ４１の面（係合ツメ３１１に接触する面）と第１ケース部３１の係合ツメ３１１の面（係合ツメ４１と接触する面）は面接触させなければならないが、そのためには係合ツメ４１の面と係合ツメ３１１の面は、同じ面を回動するように配置しなければならない。したがって第２ケース部３２の回転軸部３２３は、回転軸Ｚａが係合ツメ３１１の面と直交し、係合ツメ４１の面とも直交するように配置してある。またロックレバー４ａ，４ｂのボス係合開口４３を有する面は、駆動ツマミ３３が摺動する面と平行に配置しなければならない。図３（ａ２）の場合、駆動ツマミ３３は、第２ケース部３２の底面に沿って摺動するから、ロックレバー４ａ，４ｂのボス係合開口４３を有する面は、第２ケース部３２の底面と平行になる。したがって図３（ａ２）の場合、係合ツメ３１１の面、係合ツメ４１の面及びボス係合開口４３を有する面は、平行になり、夫々の面は、回転軸Ｚａと直交し、ボス係合開口４３を有する面と係合ツメ４１の面の回動面は、駆動ツマミ３３の摺動面と平行になる。
【００２０】
以上の配置において、ボス３３１を有する駆動ツマミ３３を、第２ケース部３２の底面に沿って矢印Ｙ４方向へ摺動すると、ロックレバー４ａ，４ｂは、ボス３３１によって回転軸Ｚａを中心に回動し、図２（ａ）の位置において係合ツメ４１と係合ツメ３１１は、面接触する。そのとき、係合ツメ４１は、図３（ａ３）のように係合ツメ３１１の上面（第２ケース部３２と反対側の面）に面接触する。
【００２１】
図３（ｂ１）は、駆動ツマミ３３と第２ケース部３２のコ字状開口部３２４の斜視図、図３（ｂ２）は、駆動ツマミ３３の摺動部の断面図、図３（ｂ３）は、駆動ツマミ３３のツマミロック部３３２と第２ケース部３２のツマミロック用突起３２８の係合状態を示す断面図である。
駆動ツマミ３３は、箱状体からなり、箱状体の開口端面にボス３３１を形成し、箱状体の底面に近い側面に摺動用凹状部３３３を形成し、底面の内面に鉤状のツマミロック部３３２を形成してある。第２ケース部３２の底面の内面には、ツマミロック用突起３２８を形成し、駆動ツマミ３３が摺動するコ字状開口部３２４には、摺動用凹状部３３３が係合するレール用凸状部３２６を形成してある。なお駆動ツマミ３３は、箱状体に限らず板状体であってもよい。
【００２２】
駆動ツマミ３３は、図２（ａ）の位置にあるとき、駆動ツマミ３３のツマミロック部３３２は、図３（ｂ３）のように第２ケース部３２のツマミロック用突起３２８と係合して、駆動ツマミ３３を図２（ａ）の位置にロックする。ツマミロック部３３２とツマミロック用突起３２８は、弾性を有するから、駆動ツマミ３３に強い戻し力を加えると、両者は変形して図３（ｂ３）のロックを解除する
図３（ｃ）は、第１ケース部３１の係合突起３１２を第２ケース部３２の開口３２２に挿入した状態を示す。
【実施例２】
【００２３】
図４〜図７は、本願発明の実施例２に係る模型用送信機の筐体を示す。
まず図４について説明する。
図４（ａ）は、平面図、図４（ｂ）は、図４（ａ）のＹ６方向の側面図、図４（ｃ）は、第２ケース部の内側の平面図である。
筐体５は、第１ケース部５１と第２ケース部５２からなり、両ケース部は、実施例１と同様のケースロック装置によって一体的に結合されている。筐体５は、実施例１の筐体３と形状が相違している。即ち筐体５は、図４（ｂ）のように逆へ字状に屈曲し、第１ケース部５１は、傾斜面部５１３１と平面部５１３２を有し、第２ケース部５２は、傾斜面部５２７１，５２７３と平面部５２７２を有している。第１ケース部５１の傾斜面部５１３１、平面部５１３２には、スイッチの操作性を考慮して各種スイッチを振り分けて配置してある。また平面部５１３２には、スイッチの他表示部等を配置してある。そしてケースロック装置の駆動ツマミ５３は、第２ケース部５２の傾斜面部５２７１に取付けてある。
なお実施例１の係合突起３１２、開口３２２に相当する部分は、図示を省略してある。図５についても同様である。
【００２４】
次に図５により第２ケース部５２と駆動ツマミ５３について説明する。
図５（ａ）は、第２ケース部５２の内側の平面図、図５（ｂ）は、図５（ａ）のＹ８部分の矢印方向の断面図、図５（ｃ）は、図５（ａ）のＹ９部分の矢印方向の断面図（浮き防止部５２１は省略してある）、図５（ｄ）は、図５（ａ）のＹ１０部分の矢印方向の断面図である。
図５の駆動ツマミ５３は、実施例１の駆動ツマミ３３と略同じであるが、摺動する面が傾斜している点が相違している。またロックレバー４ａ，４ｂは、実施例１と略同じであるが、ボス係合開口４３を形成する傾斜面部４６が、駆動ツマミ５３の摺動面と平行するように傾斜している点が相違している。その他、５１１は第１ケース部５１の係合ツメ、５２１は浮き防止部、５２３は回転軸部、５２４はコ字状開口部、５２５は回転制限突起、５３１はボス、５３２はツマミロック部である。
回転軸部５２３は、第２ケース部５２の傾斜面部５２７１にその回転軸Ｚａ，Ｚｂが第１ケース部５１の係合ツメ５１１と直交するように配置してある。そしてロックレバー４ａ，４ｂは、駆動ツマミ５３を矢印Ｙ７方向へ摺動すると、回転軸Ｚａ，Ｚｂを中心に回動するから、両ロックレバーの係合ツメ４１は、係合ツメ５１１と同じ面を回動する。
【００２５】
次に図６により駆動ツマミ５３の摺動とロックレバー４ａ，４ｂの回動について説明する。
図６（ａ）は、ロックレバー４ａの斜視図、図６（ｂ）は、図６（ａ）のＹ１１方向の斜視図、図６（ｃ）は、駆動ツマミ５３の摺動面とロックレバー４ａ，４ｂの回動面を説明する図（拡大図）である。
ロックレバー４ａ，４ｂの係合ツメ４１の面（係合ツメ５１１に接触する面）は、係合ツメ５１１の面（係合ツメ４１に接触する面）に面接触しなければならないから、係合ツメ５１１の面と同じ面を回動するように配置しなければならない。そのため図６（ｃ）のように、係合ツメ４１の面は、回転軸Ｚａと直交するように配置し、係合ツメ５１１の面も回転軸Ｚａと直交するように配置してある。またロックレバー４ａ，４ｂの軸挿入穴４５を有する平面部４７は、回転軸Ｚａと直交するように配置してある。したがって第２ケース部５２の回転軸部５２３は、回転軸Ｚａが係合ツメ４１の面及び係合ツメ５１１の面と直交する。
一方駆動ツマミ５３は、第２ケース部５２の傾斜面部５２７１に沿って摺動するから、ロックレバー４ａ，４ｂのボス係合開口４３を有する傾斜面部４６は、駆動ツマミ５３の摺動面と平行（傾斜面部５２７１とも平行）するように配置してある。
【００２６】
図６（ｃ）において、駆動ツマミ５３を第２ケース部５２の傾斜面部５２７１に沿って摺動するとボス５３１も摺動し、そのボス５３１の摺動に伴ってロックレバー４ａ，４ｂのボス係合開口４３を有する傾斜面部４６は、駆動ツマミ５３の摺動面と平行な面を回動する。ロックレバー４ａ，４ｂの傾斜面部４６の回動に伴って、両ロックレバーの係合ツメ４１は、回転軸Ｚａと直交する面を回動する。したがってロックレバー４ａ，４ｂが図５（ａ）の位置にあるとき、両ロックレバーの係合ツメ４１と第１ケース部５１の係合ツメ５１１は、面接触する。
【００２７】
本実施例の駆動ツマミ５３は、第２ケース部５２の傾斜面部５２７１に沿って摺動するが、その際ロックレバー４ａ，４ｂの傾斜面部４６を、駆動ツマミ５３の摺動面と平行に傾斜させることにより、両ロックレバーの回転軸Ｚａ，Ｚｂは、第１ケース部５１の係合ツメ５１１の面と直交するように配置できる。その配置により係合ツメ５１１の面は、回転軸Ｚａ，Ｚｂと直交し、かつ係合ツメ４１の面もその回転軸と直交するから、係合ツメ４１の面は、係合ツメ５１１の面と面接触する。したがって係合ツメ４１と係合ツメ５１１の係合強度は大きくなり、第１ケース部５１と第２ケース部５２の結合強度が大きくなる。
【００２８】
また第１ケース５１と第２ケース部５２は、ロックレバー４ａ，４ｂの係合ツメ４１と第１ケース部５１の係合ツメ５１１によって結合するが、係合ツメ５１１は、両ケース部の開閉方向（回転軸Ｚａ，Ｚｂと平行する方向）と直交するように配置し、係合ツメ４１は、その係合ツメ５１１と同じ面を回動して面接触するように配置してあるから、両係合ツメの摩擦力が大きくなり結合強度が大きくなる。
またロックレバー４ａ，４ｂのボス係合開口４３を有する傾斜面部４６を傾斜させることにより、両ロックレバーは、駆動ツマミ５３の摺動に追随して円滑に回動する。
【００２９】
次に図７により駆動ツマミ５３とそのボスの形状等について説明する。
図７（ａ）は、駆動ツマミ５３と第２ケース部５２のコ字状開口部５２４の斜視図である。
駆動ツマミ５３は、側面が三角形の箱状体からなり、箱状体の開口端面にボス５３１を形成し、箱状体の底面に近い側面に摺動用凹状部５３３を形成し、底面の内面に鉤状のツマミロック部５３２を形成してある。第２ケース部５２の内面には、ツマミロック用突起５２８を形成し、駆動ツマミ５３が摺動するコ字状開口部５２４には、摺動用凹状部５３３に係合するレール用凸状部５２６を形成してある。なお駆動ツマミ５３は、箱状体に限らず板状体であってもよい。
【００３０】
駆動ツマミ５３が図５（ａ）の位置にあるとき、ツマミロック部５３２は、第２ケース部３２のツマミロック用突起５２８と係合して、駆動ツマミ５３を図５（ａ）の位置にロックする。ツマミロック部５３２とツマミロック用突起５２８は、弾性を有するから、駆動ツマミ５３に強い戻し力を加えるとロックを解除できる
図７（ｂ１），（ｂ２），（ｂ３）は、駆動ツマミ５３のボス５３１とロックレバー４ａ，４ｂのボス係合開口４３の拡大図で、図７（ｂ１）は、側面図、図７（ｂ２）は、平面図、図７（ｂ３）は、ボス５３１の角度を説明する図である。
【００３１】
まず図７（ｂ１），（ｂ２）について説明する。
ボス５３１の断面形状は、小判状で頭部は小さく、付け根に近いほど大きくなる。したがってロックレバー４ａ，４ｂのボス係合開口４３は、長四辺形に形成してある。なおボス係合開口４３は、長四辺形の開口内面の四隅をＲに面取りして小判状に形成してもよい。
ロックレバー４ａ，４ｂのボス係合開口４３は、駆動ツマミ５３の直線方向の摺動に対して回転軸を中心に円弧の軌跡をたどるから、図７（ｂ２）においてボス５３１が矢印方向へ摺動する場合、ボス５３１は、ボス係合開口４３の内面前面部４３１に接触し、その接触点は、同図の上下方向へ移動する。その際ボス５３１は、断面が小判状であるから円滑に移動する。またボス５３１は、断面を小判状に形成し、付け根に近いほど断面を大きくしてあるから強度が大きくなる。
【００３２】
次に図７（ｂ３）について説明する。
ボス５３１が矢印Ｙ７方向へ摺動するとき、ボス５３１の前面部５３１１は、ボス係合開口４３の内面前面部４３１と接触し、ボス５３１の後面部５３１２は、ボス係合開口４３の内面後面部４３２と接触する。ボス５３１の前面部５３１１は、駆動ツマミ５３に対する（駆動ツマミ５３の摺動面に対する）角度θ１を９０度より大きく設定し、後面部５３１２は、駆動ツマミ５３に対する（駆動ツマミ５３の摺動面に対する）角度θ２を９０度に設定してある。またボス係合開口４３の内面前面部４３１は、ボス５３１の前面部５３１１と平行になるように形成し、内面後面部４３２は、ボス５３１の後面部５３１２と平行になるように形成してある。
ボス５３１とボス係合開口４３を上記のように設定することにより、駆動ツマミ５３を円滑に容易に摺動することができ、かつボス５３１の摺動力をボス係合開口４３へ円滑に効率よく伝えてロックレバー４ａ，４ｂを円滑に回動させることができる。またボス５３１は、角度θ１，θ２を上記のように設定することにより、駆動ツマミ５３を成形する金型の製作が容易になる。
【００３３】
実施例２は、模型用送信機の筐体について説明したが、模型用送信機に限らず他の電子機器の筐体であってもよい。
【図面の簡単な説明】
【００３４】
【図１】本願発明の実施例１に係る電子機器の筐体の外観を示す。
【図２】図１の電子機器の筐体の内部の構成を示す。
【図３】図２の各部の詳細を示す。
【図４】本願発明の実施例２に係る模型用送信機の筐体の外観を示す。
【図５】図４の第２ケース部と駆動ツマミの構成を示す。
【図６】図５の駆動ツマミの摺動とロックレバーの回動を説明する図である。
【図７】図５の各部の詳細を示す。
【図８】従来の電子機器の筐体の構成を示す。
【図９】従来の他の電子機器の筐体の構成を示す。
【符号の説明】
【００３５】
３１，５１  第１ケース部
３１１，５１１  係合ツメ
３１２  係合突起
３２，５２  第２ケース部
３２１，５２１  浮き防止部
３２２  開口（穴）
３２３，５２３  回転軸部
３２４，５２４  コ字状開口部（切り欠き部）
３２５，５２５  回動制限突起
３２６，５２６  レール用凸状部
３２８，５２８    ツマミロック用突起
３３，５３    駆動ツマミ
３３１，５３１  ボス
３３２，５３２  ツマミロック部
３３３，５３３  摺動用凹状部
４ａ，４ｂ  ロックレバー
４１    係合ツメ
４２    浮き防止ツメ
４３    ボス係合開口（穴）
４３１    内面前面部
４３２    内面後面部
４４    ネジ
４５    軸挿入穴
４６    傾斜面部
４７    平面部
５１３１  傾斜面部
５１３２  平面部
５２７１  傾斜面部
５２７２  平面部
５２７３  傾斜面部
５２８  ツマミロック用突起
５３１１  前面部
５３１２  後面部